(57)【特許請求の範囲】
【請求項１】
商用電源によって光源を点灯させる複数の点灯装置を収納した照明器具本体と；
前記照明器具本体に収納された複数の点灯装置に前記商用電源の停電時に電力を供給する複数の非常用電源と；
自己の点灯装置を制御するとともに自己の点灯装置に対して特殊操作されている状態であるときは外部からのアドレス設定を許可する制御手段と；
を備え、
前記制御手段は、自己の点灯装置が外部から点検開始信号を受信したときは、前記商用電源から前記非常用電源に電源を切り替えて点検動作を行ってその点検結果を記憶し、自己の点灯装置が特殊操作されている状態であることを確認したときは、前記点検結果を外部に出力することを特徴とする照明装置。
【請求項２】
前記制御手段は、自己の点灯装置に対して特殊操作されている状態であるときは、外部からアドレスが設定された場合には、設定されたアドレス情報を外部に出力することを特徴とする請求項１記載の照明装置。
【発明の詳細な説明】
【技術分野】
【０００１】
本発明は、商用電源からの給電が停止された際に非常用電源からの給電により動作する照明装置に関するものである。
【背景技術】
【０００２】
例えば、避難通路等の案内表示を行うための照明装置としては誘導灯や非常灯があり、避難口であることを示すシンボルなどが付された表示部を背後から照明するバックライトが用いられる。バックライトとしては、厚み方向の一面が発光面となる導光板と、厚み方向に直交する方向における導光板の側面に配置され当該側面より導光板内に光を入射させる光源とで構成された所謂サイドライト方式のバックライトがよく用いられている。また、バックライトの光源としては、蛍光ランプを用いたものからＬＥＤを用いたものが採用されるようになっている。そして、常時は商用電源からの電力で光源を点灯し、商用電源の停電などの非常時にはバッテリなどの非常用電源からの電力で光源を点灯するようにしている（例えば、特許文献１参照）。
【０００３】
このような照明装置では、所定期間（例えば半年）ごとに定期点検が実施され、商用電源の停電などの非常時に備えて、非常用電源からの電力供給で光源を所定時間（例えば、２０分間）以上に亘って点灯継続できるかどうかを確認するようにしている。この場合、常用電源（商用電源）から光源への電力供給を強制的に停止して擬似的な停電状態とするための点検スイッチを操作して、擬似的な停電状態とすることで非常用電源の点検を行う。
【０００４】
一方、近年では、誘導灯などに用いる照明装置が大型化されてきており、これに伴ってバックライトに用いる導光板の大型化が望まれている。導光板を大型化した際には、一つの光源では発光面全体を均一に光らせることが難しいため複数の光源が用いられる。光源の数を増やした際には、当然ながら、光源を点灯させるための点灯装置や当該点灯装置用の非常用電源の数も増加することになる。
【０００５】
その場合、１つの点検スイッチにより１つの照明装置の複数の点灯装置の点検が同時に一括して行えるようにするとともに、少なくとも１つの点灯装置に対応するバッテリやランプなどに異常があると判断されれば、複数の点灯装置のいずれに対応するバッテリまたは光源に異常が発生しているかを容易に確認できるようにしたものがある（例えば、特許文献２参照）。
【先行技術文献】
【特許文献】
【０００６】
【特許文献１】特開２００２−３０４９０２号公報
【特許文献２】特開２００９−５４４９２号公報
【発明の概要】
【発明が解決しようとする課題】
【０００７】
しかし、特許文献２のものでは、複数の点灯装置を有した照明装置の点検は一括して行え、確認スイッチの操作により、点灯装置のいずれか一方の光源あるいはバッテリの異常を判断することができるが、点灯装置に対してそれぞれアドレスを付与する際には、複数の点灯装置を識別できるようにしなければ個別のアドレスを付与することができない。
【０００８】
集中管理制御盤では点灯装置毎に、その光源の寿命やバッテリの寿命を管理することが必要であるので、点灯装置に対してそれぞれ個別のアドレスを付与することが必要となる。特に、リモコンからの無線信号にて各々の点灯装置にアドレスを設定する場合には、複数の点灯装置が１つの照明装置に設けられている場合には、複数の点灯装置が共にリモコンからの無線信号を受信し混線する可能性がある。もし、複数の点灯装置に対して同じアドレスが重複して設定されると、集中管理制御盤で複数の点灯装置を個別に管理することができなくなる。
【０００９】
本発明の目的は、複数の点灯装置に対して個別のアドレスを重複することなく設定でき、しかも点検は一括して行え点灯装置毎の点検結果は個別に取得することができる照明装置を提供することである。
【課題を解決するための手段】
【００１０】
請求項１の発明に係る照明装置は、商用電源によって光源を点灯させる複数の点灯装置を収納した照明器具本体と；前記照明器具本体に収納された複数の点灯装置に前記商用電源の停電時に電力を供給する複数の非常用電源と；自己の点灯装置を制御するとともに自己の点灯装置に対して特殊操作されている状態であるときは外部からのアドレス設定を許可する制御手段と；を備え、前記制御手段は、自己の点灯装置が外部から点検開始信号を受信したときは、前記商用電源から前記非常用電源に電源を切り替えて点検動作を行ってその点検結果を記憶し、自己の点灯装置が特殊操作されている状態であることを確認したときは、前記点検結果を外部に出力することを特徴とする。
【００１１】
本発明及び以下の発明において、特に指定しない限り用語の定義及び技術的意味は以下による。
【００１２】
照明装置は、例えば避難通路等の案内表示を行うための標識灯や非常灯であり、商用電源または非常用電源を用いて点灯装置を介して光源を点灯する。点灯装置とは光源を点灯するものである。複数の点灯装置を収納した照明器具本体とは、複数の点灯装置により１つの発光面を照明する大型の照明装置の照明器具本体である。非常用電源は、例えばバッテリであり、商用電源の停電時に商用電源に代わって点灯装置に電力を供給して光源を点灯するとともに、照明装置の点検時にも非常用電源から点灯装置に電力を供給して光源を点灯するものである。非常用電源は、通常時には商用電源から充電される。
【００１３】
制御手段は、例えば、マイクロコンピュータ（マイコン）であり、各々の点灯装置毎に設けられ、自己の点灯装置を制御する。また、自己の点灯装置に対して特殊操作された状態であるときはアドレス設定を許可する。特殊操作とは、点灯装置の通常の使用状態で行われる操作とは異なる予め定めた操作であり、例えば、点検スイッチを所定の時間内に複数回押した後に点灯スイッチを押し続けているなどの操作である。「アドレス設定を許可する」とは特殊操作されている状態のときに、外部からのアドレス設定信号の受信を許可することをいう。外部とは、アドレス設定信号を送信する手段であり、例えば、リモコンやアドレス設定用スイッチなどである。
【００１４】
請求項２の発明に係る照明装置は、請求項１の発明において、前記制御手段は、自己の点灯装置に対して特殊操作されている状態であるときは、外部からアドレスが設定された場合には、設定されたアドレス情報を外部に出力することを特徴とする。
【００１５】
本発明は、外部からのアドレス設定時に、制御手段は自己の点灯装置が特殊操作されている状態であることを確認し、その設定されたアドレスを外部に出力するようにしたものである。外部とは、例えばリモコンや表示器などである。
【００１７】
また、制御手段は、自己の点灯装置が点検モードであり、外部からの点検開始信号があったときは、特殊操作に関係なく、商用電源から非常用電源に電源を切り替えて点検動作を行い、一方、自己の点灯装置の点検結果を外部に送信する際には、自己の点灯装置が特殊操作されている状態であることを確認した後に、外部に点検結果を出力するようにしたものである。外部とは、例えばリモコンや表示器などである。
【発明の効果】
【００１８】
請求項１の発明によれば、自己の点灯装置に対して特殊操作された状態のときはアドレス設定を許可し、アドレス設定を許可している状態で受信した外部からのアドレスを自己の点灯装置のアドレスとして設定するので、複数の点灯装置に対して個別のアドレスを重複することなく設定できる。また、点灯装置の点検時には、制御手段からの点検開始信号により複数の点灯装置が一斉に点検動作を行うので、点検動作の開始を容易に行うことができる。一方、点灯装置の点検結果は、自己の点灯装置が特殊操作されている状態であることを確認した後に制御手段に出力するので、点灯装置の点検結果は個別に混線することなく外部に出力できる。
【図面の簡単な説明】
【００２１】
【図１】本発明の実施の形態に係る照明装置の構成図。
【図２】本発明の実施の形態に係る照明装置における操作表示部及びリモコン送受信部の平面図。
【図３】本発明の実施の形態に係る照明装置の点灯装置の一例を示す構成図。
【発明を実施するための形態】
【００２２】
以下、本発明の実施の形態を説明する。図１は本発明の実施の形態に係る照明装置の構成図であり、図１（ａ）は外観斜視図、図１（ｂ）は内部のブロック構成図である。以下の説明では、非常用電源はバッテリであり、制御手段はマイコンであり、点検結果やアドレス設定信号が送受信される外部はリモコンである場合について説明する。
【００２３】
図１（ａ）に示すように、照明器具本体１１の正面部には、避難通路等の案内表示を行うための表示板１２が配置され、側面部にはランプカバー１３ａ、１３ｂが設けられ、照明器具本体１１の底部には操作表示部１４ａ、１４ｂ及びリモコン送受信部１５ａ、１５ｂが設けられている。
【００２４】
図１（ｂ）に示すように、ランプカバー１３ａ、１３ｂの内部にはＬＥＤ光源１６ａ１、１６ａ２、１６ｂ１、１６ｂ２が収納されている。また、照明器具本体１１の中央部には、２個の点灯装置１７ａ、１７ｂが収納され、その下部には非常用電源としてのバッテリ１８ａ、１８ｂが配置されている。また、点灯装置１７ａ、１７ｂには制御手段としてのマイコン１９ａ、１９ｂが設けられている。また、照明器具本体１１の底部には操作表示部１４ａ、１４ｂ及びリモコン送受信部１５ａ、１５ｂが設けられている。
【００２５】
点灯装置１７ａは２個のＬＥＤ光源１６ａ１、１６ａ２を点灯し、点灯装置１７ｂは２個のＬＥＤ光源１６ｂ１、１６ｂ２を点灯する。すなわち、ＬＥＤ光源１６ａ１、１６ａ２、１６ｂ１、１６ｂ２は、表示板１２を背後から照明するバックライトであり、図１では所謂サイドライト方式のバックライトを示している。サイドライト方式のバックライトは、厚み方向の一面が発光面となる導光板と、厚み方向に直交する方向における導光板の側面にＬＥＤ光源１６ａ１、１６ａ２、１６ｂ１、１６ｂ２が配置され、ＬＥＤ光源１６ａ１、１６ａ２、１６ｂ１、１６ｂ２は当該側面より導光板内に光を入射させ表示板１２を照明する。
【００２６】
マイコン１９ａ（１９ｂ）は、自己の点灯装置１７ａ（１７ｂ）を制御するとともに、自己の点灯装置１７ａ（１７ｂ）に対して予め定めた特殊操作が行われたときは、リモコン２０からのアドレス設定を許可したり、設定されたアドレスをリモコン２０に返信したり、さらには、自己の点灯装置１７ａ（１７ｂ）の点検動作時は、その点検結果をマイコン１９ａ（１９ｂ）のメモリに記憶し、点検結果をリモコンに送信したりするものである。これらの詳細は後述する。
【００２７】
図２は、操作表示部１４及びリモコン送受信部１５の平面図である。操作表示部１４は、点灯装置１７を点検状態にするための点検スイッチ２１ａ、ＬＥＤ光源１６を交換したことを入力するランプ交換スイッチ２１ｂ、バッテリ１８の状態を監視表示する充電モニタ２２、ＬＥＤ光源１６の状態を監視表示するランプモニタ２３、点検状態を監視表示する点検モニタ２４を有し、リモコン送受信部１５は、リモコン２０からの無線信号を受信する受信部２５、リモコン２０に無線信号を送信する送信部２６を有している。
【００２８】
操作表示部１４の点検スイッチ２１ａは点灯装置１７を点検モードにするスイッチであり、点検スイッチが押されたときは、マイコン１９は点灯装置１７への電源供給を商用電源からバッテリ１８に切り替え、バッテリ１８からＬＥＤ光源１６に点灯用電源を供給し、ＬＥＤ光源１６が所定時間以上に亘って点灯継続できるかどうかを確認する。ランプ交換スイッチ２１ｂはＬＥＤ光源１６を交換したことを入力するスイッチであり、ＬＥＤ光源１６が交換されたことを表示する。また、操作表示部１４の充電モニタ２２、ランプモニタ２３、点検モニタ２４の監視表示の一例を表１に示す。
【表１】
0005532884.tif 000002
【００２９】
操作表示部１４の充電モニタ２２は、例えば緑色であり、バッテリ１８が正常であるときは連続点灯している。そして、バッテリ１８のコネクタが外れていたり、商用電源の停電などの非常時にバッテリ１８から電源を供給しているときは消灯している。また、バッテリ１８が寿命となったときは点滅表示となる。
【００３０】
操作表示部１４のランプモニタ２３は、例えば赤色であり、ＬＥＤ光源（ランプ）１６が正常であるときは消灯している。そして、ＬＥＤ光源（ランプ）１６が外れたり故障しているときは連続点灯となり、ＬＥＤ光源１６の交換時には点滅表示となる。
【００３１】
操作表示部１４の点検モニタ２４は、例えばオレンジ色であり、点灯装置１７の点検中でないときは消灯している。そして、点検中に点検が中断されたときは連続点灯となり、点検中であるときは点滅表示となる。
【００３２】
次に、図３は本発明の実施の形態に係る照明装置の点灯装置１７の一例を示す構成図である。交流電源である商用電源２７に対して、ヒューズ２８、ノイズカット用のフィルタ回路２９、全波整流器であるダイオードブリッジ３０が順次接続されている。フィルタ回路２９は、電源ライン間にバリスタＶＡ１及びコンデンサＣ１が接続されているとともに、コモンモードチョークＴｒ１が接続され、ダイオードブリッジ３０の入力側へと接続されている。
【００３３】
ダイオードブリッジ３０の出力側には、商用電源２７の供給を監視する電源監視回路３１、平滑用の電解コンデンサＣ２、トランスＴｒ２の一次側とパワーディバイスとしてＩＰＤを用いた電源回路(ＩＰＤ回路)３２との直列回路が順次接続されている。
【００３４】
トランスＴｒ２の２次側の２つの巻線のうちの一方には、整流用のダイオードＤ１及び平滑コンデンサＣ３からなる整流平滑回路を介して、充電回路３３、バッテリ１８、非常時点灯回路３４が順次接続されている。充電回路３３は、商用電源２７によってバッテリ１８を充電するものであって、バッテリ１８を急速充電する急速充電機能を有している。非常時点灯回路３４は、商用電源２７の停電時にバッテリ１８を電源として点灯制御回路３５を介してＬＥＤ光源１６を点灯させるものである。
【００３５】
トランスＴｒ２の２次側の２つの巻線のうちの他方には、整流用のダイオードＤ２及び平滑コンデンサＣ４からなる整流平滑回路を介して常時点灯回路３６が接続されている。
【００３６】
常時点灯回路３６は商用電源２７から電源供給を受けて点灯制御回路３５を介してＬＥＤ光源１６に供給し、ＬＥＤ光源１６を点灯させるものである。常時点灯回路３６の定電流の情報は、定電流ＦＢ回路３７により電源回路３２にフィードバックされ、電源回路３２の制御に用いられる。
【００３７】
非常時点灯回路３４及び常時点灯回路３６に接続された点灯制御回路３５は、非常時点灯回路３４及び常時点灯回路３６から電源供給を受けて、ＬＥＤ光源１６を点灯させるものであり、ＬＥＤ光源１６に定電流を供給するように制御する機能を有した定電流制御回路、ＬＥＤ光源１６の短絡を検知する機能を有した短絡検知回路を内蔵している。
【００３８】
また、点灯装置１７はマイコン１９を備え、このマイコン１９には、壁切回路３８、電源監視回路３１、充電回路３３、点灯制御回路３５、制御回路３９、リモコン送受信回路４０が接続されている。壁切回路３８は、外部の手動スイッチの操作によってＬＥＤ光源１６を点灯、消灯させるものである。
【００３９】
制御回路３９には操作表示部１４が接続されている。すなわち、点検モードを選択する点検スイッチ２１ａ、ＬＥＤ光源１６を交換したことを入力するランプ交換スイッチ２１ｂ、バッテリ１８の状態を表示する充電モニタ２２、ＬＥＤ光源１６の状態を表示するランプモニタ２３、点検モードを表示する点検モニタ２４が接続されている。これらスイッチやモニタは照明器具本体１１の底部に配置され、外部から操作や視認できるようになっている。
【００４０】
また、リモコン送受信回路４０にはリモコン送受信部１５が接続されている。すなわち、リモコン２０から送信される無線信号を受信する受信部２５、及びリモコン２０に対して信号を送信する送信部２６が接続されている。図３では無線信号として光信号を用いた場合を示している。
【００４１】
そして、マイコン１９は制御手段４１及びメモリ４２を有し、制御手段４１は、電源監視回路３１による監視状況に基づき、商用電源２７の供給時には常時点灯回路３６及び点灯制御回路３５により商用電源２７でＬＥＤ光源１６を常時点灯させるとともに、充電回路３３によりバッテリ１８を充電させる。一方、制御手段４１は、電源監視回路３１による監視状況に基づき、商用電源２７の停電時には、非常時点灯回路３４及び点灯制御回路３５によりバッテリ１８でＬＥＤ光源１６を非常時点灯させる。
【００４２】
また、マイコン１９の制御手段４１は、点灯装置１７へのアドレスの設定時には、リモコン２０からリモコン送受信部１５の受信部２５及びリモコン送受信回路４０を介してアドレス設定信号を受信し、メモリ４２に受信したアドレスを設定する。制御手段４１は、そのアドレス設定の際に、自己の点灯装置１７に対して予め定められた特殊操作されている状態であるか否かを判断する。例えば、特殊操作されている状態としては、点検スイッチ２１ａを所定時間内に複数回押した後に点検スイッチ２１ａを押し続けている状態、バッテリ１８を非接続にした状態、ＬＥＤ光源１６を非接続にした状態などである。
【００４３】
制御手段４１は、点灯装置１７が特殊操作されている状態であるときは、リモコン２０からの信号の受信を許可する。すなわち、リモコン２０からリモコン送受信部１５の受信部２５及びリモコン送受信回路４０を介して得られるアドレス設定信号を受信し、メモリ４２にそのアドレスを自己の点灯装置１７のアドレスとして記憶する。
【００４４】
そして、制御手段４１は、メモリ４２に受信したアドレスを記憶した後に、自己の点灯装置１７が特殊操作されている状態であるかどうかを確認し、自己の点灯装置１７が特殊操作されている状態であるときは、そのメモリ４２に記憶されたアドレスをリモコン２０に返信する。リモコン２０は送信したアドレスが所定の点灯装置１７より受信した旨の返信があると、誤りなく所定の点灯装置１７にアドレスの設定が行われたことを表示出力する。
【００４５】
このように、マイコン１９の制御手段４１は、自己の点灯装置１７に対して特殊操作により、アドレス設定を許可している状態で受信したリモコン２０からのアドレスをメモリ４２に記憶して自己の点灯装置１７のアドレスとして設定するので、１つの照明器具本体１１に収納された複数の点灯装置１７に対して、個別のアドレスを重複することなく設定できる。
【００４６】
また、メモリ４２にアドレスを設定したときは、自己の点灯装置１７が特殊操作されている状態であるときに、その設定されたアドレスをリモコン２０に返信するので、混線することなくリモコン２０にアドレス設定が行われたことを返信できる。
【００４７】
次に、マイコン１９の制御手段４１は、自己の点灯装置１７の点検スイッチ２１ａが通常に操作され、点検モードになっているときに、リモコン２０から点検開始信号を受信したときは点検動作を開始する。そして、点検動作の点検結果をマイコン１９のメモリ４２に記憶する。制御手段４１は、リモコン２０からの点検結果の送信要求があったときは、自己の点灯装置１７が特殊操作されている状態であることを確認した後に、メモリ４２に記憶した点検結果をリモコン２０に送信する。この場合、１つの照明器具本体１１に収納された複数の点灯装置１７に対して、操作員は順番に特殊操作を行って、リモコン２０から点検結果の送信要求をすることになる。これにより、リモコン２０は各々の点灯装置１７の点検結果を混線することなく受信できる。
【００４８】
以上の説明では、制御手段４１は、リモコン２０からの点検結果の送信要求があったときは、自己の点灯装置１７が特殊操作されている状態であることを確認した後に、メモリ４２に記憶した点検結果をリモコン２０に送信するようにしたが、１つの照明器具本体１１に収納された複数の点灯装置１７のマイコン１９から時間差を持って点検結果をリモコン２０に送信するようにしてもよい。例えば、１つの照明器具本体１１に収納された複数の点灯装置１７の各々のマイコン１９の制御手段４１は、リモコン２０からの点検結果の送信要求を受けると、予め定めたタイマーを起動し、そのタイマーで定まる時間が経過した後に自己の点検結果をリモコン２０に送信する。各々のマイコン１９のタイマーは、点検結果を送信するに十分な時間間隔を持ってそれぞれ異なる時間が設定される。
【００４９】
これにより、１つの照明器具本体１１に収納された複数の点灯装置１７に対して、点検動作の開始は一括して行うことができ、しかも点灯装置の点検結果は個別に混線することなくリモコン２０に送信できる。
【符号の説明】
【００５０】
１１…照明器具本体、１２…表示板、１３…ランプカバー、１４…操作表示部、１５…リモコン送受信部、１６…ＬＥＤ光源、１７…点灯装置、１８…バッテリ、１９…マイコン、２０…リモコン、２１…点検スイッチ、２２…充電モニタ、２３…ランプモニタ、２４…点検モニタ、２５…受信部、２６…送信部、２７…商用電源、２８…ヒューズ、２９…フィルタ回路、３０…ダイオードブリッジ、３１…電源監視回路、３２…電源回路、３３…充電回路、３４…非常時点灯回路、３５…点灯制御回路、３６…常時点灯回路、３７…定電流ＦＢ回路、３８…壁切回路、３９…制御回路、４０…リモコン送受信回路、４１…制御手段、４２…メモリ
【図１】
0005532884.tif 000003
【図２】
0005532884.tif 000004
【図３】
0005532884.tif 000005